(57)【要約】【課題】電源回路で発生させる電圧の異常検出精度を高めるとともに、主電源投入後、プラズマディスプレイ装置の通常動作を速やかに開始させる。【解決手段】走査電極に印加する基準電圧をランプ状に下降させる下りランプ発生回路と、負電圧Ｖａを発生させる電圧Ｖａ発生回路６５と、負電圧Ｖａに正電圧を重畳して第１電圧を発生させる第１電圧発生回路６０と、一方の端子が基準電圧ＶＦＧに接続されたコンデンサに第１電圧を充電して第２電圧を発生させる第２電圧発生回路６２と、第２電圧の電圧異常を検出する第２電圧異常検出回路７１と、主電源が投入されてからの経過時間を計測するタイマー７６と、タイマー７６の計測時間にもとづき第２電圧異常検出回路７１における検出結果を無効にするＤＲＶ＿ＲＳＴ信号を発生する検出停止信号発生回路７７とを備える。【選択図】図８
2010002437.tif 000002
【特許請求の範囲】
【請求項１】
初期化期間と書込み期間と維持期間とを有するサブフィールドを１フィールド内に複数設けて階調表示するサブフィールド法で駆動し、複数の走査電極を備えたプラズマディスプレイパネルと、
前記走査電極に印加する基準電圧を前記初期化期間にランプ状に下降させる下りランプ発生回路と、
前記下りランプ発生回路で用いる負電圧を発生させるとともに、前記負電圧に所定の正電圧を重畳して発生させた第１電圧を、一方の端子が前記基準電圧に接続されたコンデンサに充電して第２電圧を発生させる電源回路と、
前記下りランプ発生回路に入力する定電流を発生する定電流発生回路と、
前記第２電圧を用いて前記定電流発生回路に入力する制御信号を発生させる制御信号発生回路と、
前記第２電圧の電圧異常を検出する第２電圧異常検出回路を有し、前記第２電圧異常検出回路において前記第２電圧の電圧異常が検出されたときには直ちに前記プラズマディスプレイパネルの駆動を停止する異常検出回路とを備え、
前記異常検出回路は、プラズマディスプレイ装置に主電源が投入されてからの経過時間を計測するタイマーと、前記タイマーにおいて計測された時間にもとづき前記第２電圧異常検出回路における検出結果を無効にする検出停止信号発生回路とを有することを特徴とするプラズマディスプレイ装置。
【請求項２】
前記異常検出回路は、プラズマディスプレイ装置に主電源が投入された後、少なくとも前記下りランプ発生回路の最初の動作が完了するまでは前記第２電圧異常検出回路における検出結果を無効にすることを特徴とする請求項１に記載のプラズマディスプレイ装置。
【請求項３】
複数の走査電極を備えたプラズマディスプレイパネルを、
初期化期間と書込み期間と維持期間とを有するサブフィールドを１フィールド内に複数設けて階調表示するサブフィールド法で駆動するとともに、前記走査電極に印加する基準電圧を前記初期化期間にランプ状に下降させるプラズマディスプレイパネルの駆動方法であって、
前記基準電圧をランプ状に下降させるときに用いる負電圧を発生させ、前記負電圧に所定の正電圧を重畳して発生させた第１電圧を、一方の端子が前記基準電圧に接続されたコンデンサに充電して第２電圧を発生させるとともに、
前記基準電圧をランプ状に下降させるときに用いる定電流を前記第２電圧を用いて発生させ、
前記第２電圧の電圧異常を検出し、前記第２電圧の電圧異常が検出されたときには前記プラズマディスプレイパネルの駆動を停止し、
かつプラズマディスプレイ装置に主電源が投入された直後に、前記第２電圧の電圧異常の検出を無効にする期間を設けることを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールドを複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【０００５】
書込み期間では、走査電極に走査パルス電圧を印加（以下、この動作を「走査」とも記す）するとともにデータ電極に選択的に書込みパルス電圧を印加して表示を行うべき放電セルに選択的に書込み放電を発生させ壁電荷を形成する（以下、これらの動作を総称して「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００６】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００７】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することによって、画像の表示に関係のない発光に依存して変化する黒表示領域の輝度（以下、「黒輝度」と略記する）は全セル初期化動作における微弱発光だけとなり、コントラストの高い画像表示が可能となる（例えば、特許文献１参照）。
【０００８】
図１は、パネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【０００９】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００１０】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１１】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。このとき、例えば、発光効率を向上させるためにキセノン分圧を約１０％とした放電ガスを用いることができる。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１２】
図２は、パネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００１３】
このパネル１０は、サブフィールド法、すなわち１フィールドを時間軸上で複数のサブフィールドに分割し、各サブフィールドに輝度重みをそれぞれ設定し、サブフィールド毎に各放電セルの発光・非発光を制御することによって多階調の画像を表示することができる。このサブフィールド法では、例えば、１フィールドを８つのサブフィールド（第１ＳＦ、第２ＳＦ、・・・、第８ＳＦ）で構成し、各サブフィールドはそれぞれ１、２、４、８、１６、３２、６４、１２８の輝度重みを有する構成とすることができる。また、複数のサブフィールドのうち、１つのサブフィールドの初期化期間においては全ての放電セルに初期化放電を発生させる全セル初期化動作を行い、他のサブフィールドの初期化期間においては維持放電を行った放電セルに対して選択的に初期化放電を発生させる選択初期化動作を行うことで、階調表示に関係しない発光を極力減らしコントラスト比を向上させることが可能である。
【００１４】
図３は、パネル１０の各電極に印加する駆動電圧波形図である。図３には、書込み期間において最初に走査を行う走査電極ＳＣ１、書込み期間において最後に走査を行う走査電極ＳＣｎ（例えば、走査電極ＳＣ１０８０）、維持電極ＳＵ１〜維持電極ＳＵｎ、およびデータ電極Ｄ１〜データ電極Ｄｍの駆動波形を示す。
【００１５】
また、図３には、２つのサブフィールドの駆動電圧波形、すなわち全セル初期化動作を行うサブフィールド（以下、「全セル初期化サブフィールド」と呼称する）の第１サブフィールド（第１ＳＦ）と、選択初期化動作を行うサブフィールド（以下、「選択初期化サブフィールド」と呼称する）の第２サブフィールド（第２ＳＦ）とを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００１６】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、０（Ｖ）から放電開始電圧以下の電圧Ｖｉ１を印加し、さらに電圧Ｖｉ１から、維持電極ＳＵ１〜維持電極ＳＵｎに対して放電開始電圧を超える電圧Ｖｉ２に向かって緩やかに上昇する傾斜波形電圧（以下、「上りランプ波形」と呼称する）Ｌ１を印加する。
【００１７】
この上りランプ波形Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００１８】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える負の電圧Ｖｉ４に向かって緩やかに下降する下り傾斜波形電圧（以下、「下りランプ波形」と呼称する）Ｌ２を印加する。
【００１９】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。
【００２０】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００２１】
書込み期間では、まず維持電極ＳＵ１〜維持電極ＳＵｎに電圧Ｖｅ２を、走査電極ＳＣ１〜走査電極ＳＣｎに電圧Ｖｃ（Ｖｃ＝Ｖａ＋Ｖｓｃｎ）を印加する。
【００２２】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２３】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行う。
【００２４】
続く維持期間では、輝度重みに所定の輝度倍率を乗じた数の維持パルスを表示電極対２４に交互に印加して、書込み放電を発生した放電セルで維持放電を発生させて発光させる。
【００２５】
この維持期間では、まず走査電極ＳＣ１〜走査電極ＳＣｎに正の維持パルス電圧Ｖｓを印加するとともに維持電極ＳＵ１〜維持電極ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００２６】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００２７】
続いて、走査電極ＳＣ１〜走査電極ＳＣｎには０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに輝度重みに輝度倍率を乗じた数の維持パルスを交互に印加し、表示電極対２４の電極間に電位差を与えることにより、書込み期間において書込み放電を起こした放電セルで維持放電が継続して行われる。
【００２８】
そして、維持期間の最後には走査電極ＳＣ１〜走査電極ＳＣｎと維持電極ＳＵ１〜維持電極ＳＵｎとの間にいわゆる細幅パルス状の電圧差を与えて放電を発生させ、データ電極Ｄｋ上の正の壁電圧を残したまま、走査電極ＳＣｉおよび維持電極ＳＵｉ上の壁電圧を消去する。
【００２９】
このように、最後の維持放電、すなわち消去放電を発生させるための電圧Ｖｓを走査電極ＳＣ１〜ＳＣｎに印加した後、所定の時間間隔の後、表示電極対２４の電極間の電位差を緩和するための電圧Ｖｅ１を維持電極ＳＵ１〜ＳＵｎに印加する。こうして維持期間における維持動作が終了する。
【００３０】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧Ｖｉ４に向かって緩やかに下降する下りランプ波形Ｌ４を印加する。
【００３１】
これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルについては放電することはなく、前のサブフィールドの初期化期間終了時における壁電荷の状態がそのまま保たれる。
【００３２】
第２ＳＦの書込み期間および維持期間では、各電極に対して第１ＳＦの書込み期間および維持期間と同様の駆動波形を印加する。また、第３ＳＦ以降のサブフィールドも第２ＳＦと同様の駆動波形を印加する。
【００３３】
図４は、プラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、制御信号発生回路４５、各回路ブロックに必要な電力を供給する電源回路４６および異常検出回路４７を備えている。
【００３４】
画像信号処理回路４１は、パネル１０の画素数に応じて、入力された画像信号ｓｉｇをサブフィールド毎の発光・非発光を示す画像データに変換する。
【００３５】
制御信号発生回路４５は、水平同期信号Ｈおよび垂直同期信号Ｖにもとづき各回路ブロックの動作を制御する各種の制御信号を発生し、それぞれの回路ブロック（画像信号処理回路４１、データ電極駆動回路４２、走査電極駆動回路４３および維持電極駆動回路４４）へ供給する。
【００３６】
データ電極駆動回路４２は、サブフィールド毎の画像データを各データ電極Ｄ１〜データ電極Ｄｍに対応する信号に変換し、制御信号発生回路４５から供給される制御信号にもとづいて各データ電極Ｄ１〜データ電極Ｄｍを駆動する。
【００３７】
走査電極駆動回路４３は、初期化期間において走査電極ＳＣ１〜走査電極ＳＣｎに印加する初期化波形を発生させる初期化波形発生回路、維持期間において走査電極ＳＣ１〜走査電極ＳＣｎに印加する維持パルスを発生させる維持パルス発生回路、複数の走査電極駆動ＩＣ（以下、「走査ＩＣ」と略記する）を備え書込み期間において走査電極ＳＣ１〜走査電極ＳＣｎに印加する走査パルスを発生させる走査パルス発生回路５２を有する。そして、制御信号発生回路４５から供給される制御信号にもとづいて各走査電極ＳＣ１〜走査電極ＳＣｎをそれぞれ駆動する。
【００３８】
維持電極駆動回路４４は、維持パルス発生回路および電圧Ｖｅ１、電圧Ｖｅ２を発生させる回路を備え、制御信号発生回路４５から供給される制御信号にもとづいて維持電極ＳＵ１〜維持電極ＳＵｎを駆動する。
【００３９】
異常検出回路４７は、電源回路４６から出力される電圧を監視し、電圧異常を検知したときには、制御信号発生回路４５に各駆動回路の動作の停止を指示する信号（以下、「停止指示信号」と呼称する）を送信する。
【００４０】
図５は、走査電極駆動回路４３の構成を示す回路図である。図５に示すように、走査電極駆動回路４３は、維持パルスを発生させる維持パルス発生回路５０、初期化波形を発生させる初期化波形発生回路５１、走査パルスを発生させる走査パルス発生回路５２を備え、走査パルス発生回路５２の各出力端子はパネル１０の走査電極ＳＣ１〜走査電極ＳＣｎのそれぞれに接続されている。
【００４１】
なお、以下の説明においては、スイッチング素子を導通させる動作を「オン」、遮断させる動作を「オフ」と表記し、スイッチング素子をオンさせる信号を「Ｈｉ」、オフさせる信号を「Ｌｏ」と表記する。また、走査パルス発生回路５２に入力される電圧を「基準電圧ＶＦＧ」と記す。
【００４２】
維持パルス発生回路５０は、電力回収回路（図示せず）とクランプ回路（図示せず）とを備え、制御信号発生回路４５から出力される制御信号にもとづき内部に備えた各スイッチング素子を切換えて維持パルスを発生させる。
【００４３】
走査パルス発生回路５２は、複数のスイッチング素子を複数の出力毎にまとめてＩＣ化した複数の走査ＩＣ（図示せず）を有し、書込み期間には走査電極ＳＣ１〜走査電極ＳＣｎのそれぞれにあらかじめ定められた順に走査パルス電圧を印加する。また、維持パルス発生回路５０または初期化波形発生回路５１を動作させている期間は、維持パルス発生回路５０または初期化波形発生回路５１から出力される駆動電圧を走査電極ＳＣ１〜走査電極ＳＣｎに印加する。
【００４４】
初期化波形発生回路５１は、上りランプ発生回路であるミラー積分回路５３と、下りランプ発生回路であるミラー積分回路５４と、定電流発生回路６７と、定電流発生回路６８とを有する。
【００４５】
定電流発生回路６７は、入力端子ＩＮ１にコレクタが接続されたスイッチング素子Ｑ８と、入力端子ＩＮ１とスイッチング素子Ｑ８のベースとの間に挿入された抵抗Ｒ８と、スイッチング素子Ｑ８のエミッタとミラー積分回路５３との間に電気的に直列に接続された抵抗Ｒ１と、抵抗Ｒ８にカソードが接続され抵抗Ｒ１にアノードが接続されたツェナーダイオードＤ８とを有し、入力端子ＩＮ１に所定の電圧（例えば、５（Ｖ））を印加することで、ミラー積分回路５３に入力する定電流を発生する。
【００４６】
ミラー積分回路５３は、スイッチング素子Ｑ１とコンデンサＣ１とを有し、定電流発生回路６７から定電流が入力される期間、基準電圧ＶＦＧをランプ状に上昇させる。
【００４７】
定電流発生回路６８は、入力端子ＩＮ２にコレクタが接続されたスイッチング素子Ｑ９と、入力端子ＩＮ２とスイッチング素子Ｑ９のベースとの間に挿入された抵抗Ｒ９と、スイッチング素子Ｑ９のエミッタとミラー積分回路５４との間に電気的に直列に接続された抵抗Ｒ２と、抵抗Ｒ９にカソードが接続され抵抗Ｒ２にアノードが接続されたツェナーダイオードＤ９とを有し、入力端子ＩＮ２に所定の電圧（例えば、５（Ｖ））を印加することで、ミラー積分回路５４に入力する定電流を発生する。
【００４８】
ミラー積分回路５４は、スイッチング素子Ｑ２とコンデンサＣ２とを有し、定電流発生回路６８から定電流が入力される期間、基準電圧ＶＦＧをランプ状に下降させる。
【００４９】
そして、ミラー積分回路５３は上りランプ波形Ｌ１を発生させ、ミラー積分回路５４は下りランプ波形Ｌ２および下りランプ波形Ｌ４を発生させる。
【００５０】
なお、スイッチング素子Ｑ４は、負の電圧Ｖａを用いた回路（ミラー積分回路５４）を動作させているときに、維持パルス発生回路５０および電圧Ｖｒを用いた回路（例えば、ミラー積分回路５３）を電気的に分離するための分離回路である。
【００５１】
また、図５には、あわせて、電源回路４６が有する複数の回路ブロックのうちの一部を電源回路４６’として示す。電源回路４６が有する複数の回路ブロックには、走査電極駆動回路４３で用いる電圧Ｖａおよび基準電圧ＶＦＧを用いて新たな電圧を発生させる回路ブロックが含まれているためである。
【００５２】
第１電圧発生回路６０は、所定の正の電圧（例えば、１６（Ｖ））を発生させる正電圧発生回路６１を有し、負の電圧Ｖａに正電圧発生回路６１で発生させた正の電圧を重畳して第１電圧を発生させる。
【００５３】
第２電圧発生回路６２は、アノードを第１電圧に接続した逆流防止用のダイオードＤ３２と、一方の端子が基準電圧ＶＦＧに接続され他方の端子がダイオードＤ３２のカソードに接続された充電用のコンデンサＣ３２とを有し、コンデンサＣ３２にダイオードＤ３２を介して第１電圧を充電して第２電圧を発生させる。したがって、第２電圧は、例えばミラー積分回路５４等が動作することで電圧値が変動するフローティング電圧である（以下、１つの電圧発生回路から出力される電圧を他の電圧発生回路に用いて発生させる電圧、および駆動回路の動作が開始されることで発生する電圧を他の電圧発生回路に用いて発生させる電圧のことを、「フローティング電圧」と呼称する）。
【００５４】
この第２電圧は、制御信号発生回路４５が有する複数の回路ブロックのうち、定電流発生回路６７、定電流発生回路６８を制御するランプ波形制御回路６９に供給される。そして、ランプ波形制御回路６９では、水平同期信号Ｈおよび垂直同期信号Ｖにもとづき、第２電圧を用いて定電流発生回路６７の入力端子ＩＮ１および定電流発生回路６８の入力端子ＩＮ２に入力する制御信号を発生する。
【００５５】
図６は、従来技術における電源回路４６および異常検出回路４７の構成を示す回路ブロック図である。なお、プラズマディスプレイ装置１には家庭用電源取込み口７０（例えば、コンセント用プラグ）が備えられており、一般に用いられている家庭用電源（例えば、商用電源）の取出し口（例えば、コンセント）から、家庭用電源取込み口７０を介して電源回路４６に電力を取込むことができる。
【００５６】
電源回路４６は、スイッチング回路６３、直流電圧発生回路６４、ミラー積分回路５４で用いる負電圧Ｖａを発生させる電圧Ｖａ発生回路６５、第１電圧を発生させる第１電圧発生回路６０、第２電圧を発生させる第２電圧発生回路６２を有する。
【００５７】
スイッチング回路６３は、内部にスイッチング素子を有し、そのスイッチング素子がオンされることでプラズマディスプレイ装置１に主電源が投入され、家庭用電源から電源回路４６に電力が供給され始める。
【００５８】
直流電圧発生回路６４は、家庭用電源の交流電圧を直流電圧に変換する。
【００５９】
電圧Ｖａ発生回路６５は、直流電圧発生回路６４から出力される直流電圧から、走査電極駆動回路４３等で用いられる負の電圧Ｖａ（例えば、−１４０（Ｖ））を発生させる。
【００６０】
そして、第１電圧発生回路６０は、負の電圧Ｖａに所定の正の電圧（例えば、１６（Ｖ））を重畳して第１電圧を発生させ、第２電圧発生回路６２は、基準電圧ＶＦＧにダイオードＤ３２を介して第１電圧を重畳して第２電圧を発生させる。
【００６１】
なお、図５に示す電源回路４６では、電圧Ｖａ、第１電圧、第２電圧を発生させているが、電源回路４６は、パネル１０の駆動に必要な各電圧を発生させることができる。そして、発生させた各電圧は、制御信号発生回路４５や各駆動回路に供給され、パネル１０に印加する駆動電圧の発生等に用いられる。
【００６２】
異常検出回路４７は、第１電圧の電圧異常を検出する第１電圧異常検出回路７３を有する。
【００６３】
第１電圧異常検出回路７３は、第１電圧を監視し、第１電圧に異常がなければ「Ｌｏ」（例えば、０（Ｖ））を出力し、第１電圧の異常を検出したときには「Ｈｉ」（例えば、５（Ｖ））を出力する。なお、第１電圧異常検出回路７３は、第１電圧発生回路６０から出力される電圧が所定の電圧（例えば、−１２５（Ｖ）以上−１２３（Ｖ）未満）のときには第１電圧に異常はないと判定し、そうでなければ第１電圧に異常があると判定する。
【００６４】
この出力信号は停止指示信号として制御信号発生回路４５に送信され、制御信号発生回路４５では停止指示信号が「Ｈｉ」になったときにはパネル１０の駆動を直ちに停止する。
【００６５】
図７は、従来技術における電源回路４６および異常検出回路４７の動作の一例を説明するためのタイミングチャートである。なお、図７には、プラズマディスプレイ装置１への主電源の投入タイミング、第１電圧、定電流発生回路６８の入力端子ＩＮ２へ入力される信号、基準電圧ＶＦＧ、第２電圧、コンデンサＣ３２の両端の電位差、第１電圧異常検出回路７３の出力信号（停止指示信号）を示す。
【００６６】
まず、時刻ｔ１でプラズマディスプレイ装置１に主電源が投入されると、電圧Ｖａ発生回路６５は、直流電圧発生回路６４から出力される直流電圧から負の電圧Ｖａを発生させる（図示せず）。そして、第１電圧発生回路６０は、電圧Ｖａ発生回路６５から負の電圧Ｖａが安定に出力されるようになった後の時刻ｔ２で、第１電圧を安定に発生させ始める。
【００６７】
したがって、時刻ｔ２で、第１電圧異常検出回路７３の出力信号（停止指示信号）は、異常を示す「Ｈｉ」から正常を示す「Ｌｏ」に切換わる。制御信号発生回路４５は、異常検出回路４７から出力される信号が「Ｈｉ」の期間、パネル１０の駆動を停止する。そのため、プラズマディスプレイ装置１は、時刻ｔ２で通常動作を開始する。
【００６８】
その後の時刻ｔ３で、入力端子ＩＮ２に「Ｈｉ」を印加する。すると、抵抗Ｒ２からコンデンサＣ２に向かって一定の電流が流れ、スイッチング素子Ｑ２のドレイン電圧がランプ状に下降して基準電圧ＶＦＧの電位がランプ状に下降し始める。
【００６９】
第２電圧発生回路６２では、基準電圧ＶＦＧに接続されたコンデンサＣ３２にダイオードＤ３２を介して第１電圧を充電することで第２電圧を発生させている。しかし、プラズマディスプレイ装置１への主電源投入直後は、コンデンサＣ３２は充電されていないため、コンデンサＣ３２の両端の電位差は０（Ｖ）である。また、プラズマディスプレイ装置１への主電源投入直後は基準電圧ＶＦＧも０（Ｖ）のままである。したがって、プラズマディスプレイ装置１への主電源投入直後は、第２電圧発生回路６２から出力される第２電圧は０（Ｖ）である。
【００７０】
また、時刻ｔ３以降、基準電圧ＶＦＧの電位はランプ状に下降していくが、例えば、第１電圧が電圧Ｖａ＋１６（Ｖ）であり、逆流防止用のダイオードＤ３２における電圧降下が１（Ｖ）であれば、基準電圧ＶＦＧの電圧が電圧Ｖａ＋１５（Ｖ）よりも大きい期間は逆流防止用のダイオードＤ３２が導通せず、コンデンサＣ３２には充電がなされない。したがって、第２電圧は、基準電圧ＶＦＧの電位がランプ状に下降するのにあわせて下降していく。
【００７１】
そして、基準電圧ＶＦＧの電圧が電圧Ｖａ＋１５（Ｖ）以下となる時刻ｔ４から徐々にダイオードＤ３２は導通し始め、コンデンサＣ３２に充電がなされ始めて、コンデンサＣ３２の両端に電位差が生じ始める。その結果、第２電圧は電圧Ｖａ＋１５（Ｖ）で一定となる。
【００７２】
なお、時刻ｔ３以前に、例えば、ミラー積分回路５３が動作して上りランプ波形が発生されたとしても、上述と同様の理由によりダイオードＤ３２が導通しないため、コンデンサＣ３２は充電されず、コンデンサＣ３２の両端の電位差は０（Ｖ）のままである。
【００７３】
そして、基準電圧ＶＦＧが電圧Ｖａに到達する時刻ｔ５でコンデンサＣ３２の両端の電位差は正常（例えば、１５（Ｖ））になる。
【特許文献１】特開２０００−２４２２２４号公報
【発明の開示】
【発明が解決しようとする課題】
【００７４】
上述した従来技術における第２電圧発生回路６２においては、ミラー積分回路５４が正常に動作し、基準電圧ＶＦＧの電位がランプ状に下降してダイオードＤ３２が導通しないと、コンデンサＣ３２に第１電圧が充電されない。そのため、まず先にミラー積分回路５４が動作しないと、第２電圧発生回路６２は正常な第２電圧を発生させることができない。
【００７５】
一方、第２電圧の電圧異常を検出し、その検出結果を停止指示信号として用いようとすると、正常な第２電圧が発生しない限り、ミラー積分回路５４の動作は開始されない。したがって、第２電圧の電圧異常を検出し、その検出結果を停止指示信号として用いる構成では、主電源投入後、プラズマディスプレイ装置１が正常な動作を開始できない事態が発生しうる。
【００７６】
電源回路で発生させる電圧の異常検出精度を高めるためには、電源回路で発生させる全ての電圧に関して電圧異常を監視することが望ましい。しかし、上述した理由により、第２電圧の電圧異常を検出し、その検出結果を停止指示信号として用いることは困難であった。
【００７７】
本発明はこのような課題に鑑みなされたものであり、電源回路でフローティング電圧を発生させてパネルの駆動に用いるプラズマディスプレイ装置において、電源回路で発生させる電圧の異常検出精度を高めるとともに、主電源投入後、プラズマディスプレイ装置の通常動作を速やかに開始させることが可能なプラズマディスプレイ装置およびパネルの駆動方法を提供することを目的とする。
【課題を解決するための手段】
【００７８】
本発明のプラズマディスプレイ装置は、初期化期間と書込み期間と維持期間とを有するサブフィールドを１フィールド内に複数設けて階調表示するサブフィールド法で駆動し、複数の走査電極を備えたパネルと、走査電極に印加する基準電圧を初期化期間にランプ状に下降させる下りランプ発生回路と、下りランプ発生回路で用いる負電圧を発生させるとともに、負電圧に所定の正電圧を重畳して発生させた第１電圧を、一方の端子が基準電圧に接続されたコンデンサに充電して第２電圧を発生させる電源回路と、下りランプ発生回路に入力する定電流を発生する定電流発生回路と、第２電圧を用いて定電流発生回路に入力する制御信号を発生させる制御信号発生回路と、第２電圧の電圧異常を検出する第２電圧異常検出回路を有し、第２電圧異常検出回路において第２電圧の電圧異常が検出されたときには直ちにパネルの駆動を停止する異常検出回路とを備え、異常検出回路は、プラズマディスプレイ装置に主電源が投入されてからの経過時間を計測するタイマーと、タイマーにおいて計測された時間にもとづき第２電圧異常検出回路における検出結果を無効にする検出停止信号発生回路とを有することを特徴とする。
【００７９】
これにより、電源回路で発生させる電圧の異常検出精度を高めるとともに、プラズマディスプレイ装置への主電源投入後、第２電圧を速やかに発生させ、プラズマディスプレイ装置の通常動作を速やかに開始させることが可能となる。
【００８０】
また、このプラズマディスプレイ装置において、異常検出回路は、プラズマディスプレイ装置に主電源が投入された後、少なくとも下りランプ発生回路の最初の動作が完了するまでは第２電圧異常検出回路における検出結果を無効にすることが望ましい。第２電圧発生回路は、下りランプ発生回路が安定に動作することでフローティング電圧である第２電圧を安定に発生させることができるので、これにより、第２電圧を速やかに発生させることができる。
【００８１】
また、本発明のパネルの駆動方法は、複数の走査電極を備えたパネルを、初期化期間と書込み期間と維持期間とを有するサブフィールドを１フィールド内に複数設けて階調表示するサブフィールド法で駆動するとともに、走査電極に印加する基準電圧を初期化期間にランプ状に下降させるパネルの駆動方法であって、基準電圧をランプ状に下降させるときに用いる負電圧を発生させ、負電圧に所定の正電圧を重畳して発生させた第１電圧を、一方の端子が基準電圧に接続されたコンデンサに充電して第２電圧を発生させるとともに、基準電圧をランプ状に下降させるときに用いる定電流を第２電圧を用いて発生させ、第２電圧の電圧異常を検出し、第２電圧の電圧異常が検出されたときにはパネルの駆動を停止し、かつプラズマディスプレイ装置に主電源が投入された直後に、第２電圧の電圧異常の検出結果を無効にする期間を設けることを特徴とする。
【００８２】
これにより、電源回路で発生させる電圧の異常検出精度を高めるとともに、プラズマディスプレイ装置への主電源投入後、第２電圧を速やかに発生させ、プラズマディスプレイ装置の通常動作を速やかに開始させることが可能となる。
【発明の効果】
【００８３】
本発明によれば、電源回路でフローティング電圧を発生させてパネルの駆動に用いるプラズマディスプレイ装置において、電源回路で発生させる電圧の異常検出精度を高めるとともに、主電源投入後、プラズマディスプレイ装置の通常動作を速やかに開始させることが可能なプラズマディスプレイ装置およびパネルの駆動方法を提供することが可能となる。
【発明を実施するための最良の形態】
【００８４】
以下、本発明の実施の形態におけるプラズマディスプレイ装置について、図面を用いて説明する。
【００８５】
（実施の形態）
図８は、本発明の一実施の形態における電源回路４９および異常検出回路４８の一構成例を示す回路ブロック図である。なお、本実施の形態に示すプラズマディスプレイ装置は、異常検出回路４８の構成が図６に示した異常検出回路４７とは異なる点と、異常検出回路４８へ入力するために電源回路４９から取出す電圧が異常検出回路４７へ入力するために電源回路４６から取出す電圧とは異なる点とを除き、背景技術で説明したプラズマディスプレイ装置１と同様であるものとする。
【００８６】
異常検出回路４８は、第２電圧の電圧異常を検出する第２電圧異常検出回路７１、タイマー７６、検出停止信号発生回路７７、アンドゲート７５を有する。
【００８７】
第２電圧異常検出回路７１は、第２電圧を監視し、第２電圧に異常がなければ「Ｌｏ」（例えば、０（Ｖ））を出力し、第２電圧の異常を検出したときには「Ｈｉ」（例えば、５（Ｖ））を出力する。なお、第２電圧異常検出回路７１は、第２電圧発生回路６２のコンデンサＣ３２の両端の電位差を監視しており、コンデンサＣ３２の両端の電位差が所定の電圧（例えば、１５（Ｖ）以上１６（Ｖ）未満）のときには第２電圧に異常はないと判定し、そうでなければ第２電圧に異常があると判定する。
【００８８】
タイマー７６は、所定の時間間隔でカウンターを単調増加させるといった一般に知られた時間計測機能を有し、主電源が投入されてからの経過時間を計測する。
【００８９】
検出停止信号発生回路７７は、タイマー７６の出力を受け、主電源が投入されてから所定の期間は「Ｌｏ」を、所定の期間が経過した後は「Ｈｉ」となる信号を出力する（以下、検出停止信号発生回路７７の出力信号を「ＤＲＶ＿ＲＳＴ信号」と記す）。なお、検出停止信号発生回路７７は、パネルに表示する画像信号の垂直同期信号に同期させてＤＲＶ＿ＲＳＴ信号を「Ｌｏ」から「Ｈｉ」に切換える構成であってもよい。
【００９０】
アンドゲート７５には、一方の入力端子に第２電圧異常検出回路７１からの出力信号が入力され（以下、アンドゲート７５の一方の入力端子に入力される信号を「ＭａｉｎＳｔｏｐ信号」と記す）、他方の入力端子にＤＲＶ＿ＲＳＴ信号が入力される。そして、アンドゲート７５は、ＭａｉｎＳｔｏｐ信号とＤＲＶ＿ＲＳＴ信号との論理積演算を行い、ＤＲＶ＿ＲＳＴ信号が「Ｌｏ」のときには「Ｌｏ」を、ＤＲＶ＿ＲＳＴ信号が「Ｈｉ」のときにはＭａｉｎＳｔｏｐ信号を、停止指示信号として出力し、制御信号発生回路４５に送信する。
【００９１】
したがって、本実施の形態における異常検出回路４８は、タイマー７６、検出停止信号発生回路７７、アンドゲート７５により、主電源が投入されてから所定の期間は第２電圧異常検出回路７１における検出結果を無効にすることができる。
【００９２】
なお、図８に示す異常検出回路４８には第１電圧の異常を検出する第１電圧異常検出回路７３を設けていないが、これは、電源回路４９では基準電圧ＶＦＧに第１電圧を重畳して第２電圧を発生させる構成としているため、第１電圧に異常が発生したときには、第２電圧異常検出回路７１で間接的にその異常を検出することができるためである。
【００９３】
次に、プラズマディスプレイ装置１に主電源が投入された直後の電源回路４９および異常検出回路４８の動作について説明する。
【００９４】
図９は、本発明の一実施の形態における電源回路４９および異常検出回路４８の動作の一例を説明するためのタイミングチャートである。なお、図９には、プラズマディスプレイ装置１への主電源の投入タイミング、第１電圧、定電流発生回路６８の入力端子ＩＮ２へ入力される信号、基準電圧ＶＦＧ、第２電圧、コンデンサＣ３２の両端の電位差、第２電圧異常検出回路７１の出力信号、ＭａｉｎＳｔｏｐ信号、ＤＲＶ＿ＲＳＴ信号、停止指示信号を示す。
【００９５】
時刻ｔ１でプラズマディスプレイ装置１に主電源が投入されると、電圧Ｖａ発生回路６５から負の電圧Ｖａが安定に出力されるようになった後の時刻ｔ２で、第１電圧発生回路６０は第１電圧を安定に発生させ始める。
【００９６】
その後の時刻ｔ３で、入力端子ＩＮ２に「Ｈｉ」を印加する。これにより基準電圧ＶＦＧの電位がランプ状に下降し始める。
【００９７】
そして、第２電圧発生回路６２から出力される第２電圧は、基準電圧ＶＦＧの電位がランプ状に下降するのにあわせて下降していく。
【００９８】
準電圧ＶＦＧの電圧が電圧Ｖａ＋１５（Ｖ）以下となる時刻ｔ４から徐々にダイオードＤ３２は導通し始め、コンデンサＣ３２に充電がなされ始めて、コンデンサＣ３２の両端に電位差が生じ始める。その結果、第２電圧は電圧Ｖａ＋１５（Ｖ）で一定となる。
【００９９】
そして、基準電圧ＶＦＧが電圧Ｖａに到達する時刻ｔ５でコンデンサＣ３２の両端の電位差は正常（例えば、１５（Ｖ））になり、第２電圧異常検出回路７１における検出結果は異常を表す「Ｈｉ」から正常を表す「Ｌｏ」に切換わる。したがって、ＭａｉｎＳｔｏｐ信号は、時刻ｔ５で「Ｈｉ」から「Ｌｏ」に切換わる。
【０１００】
その後の時刻ｔ６で、検出停止信号発生回路７７はＤＲＶ＿ＲＳＴ信号を「Ｌｏ」から「Ｈｉ」に切換える。したがって、ＤＲＶ＿ＲＳＴ信号が「Ｈｉ」に固定される時刻ｔ６以降では、停止指示信号はＭａｉｎＳｔｏｐ信号に等しくなり、ＭａｉｎＳｔｏｐ信号は有効となる。なお、時刻ｔ６までＤＲＶ＿ＲＳＴ信号を「Ｌｏ」にし、ＭａｉｎＳｔｏｐ信号を無効にするのは、以下のような理由による。
【０１０１】
本実施の形態において、第２電圧発生回路６２では、ミラー積分回路５４が正常に動作し、基準電圧ＶＦＧの電位がランプ状に下降してダイオードＤ３２が導通しないとコンデンサＣ３２に第１電圧が充電されない。そのため、まず先にミラー積分回路５４が動作しないと、第２電圧発生回路６２は正常な第２電圧を発生させることができない。
【０１０２】
一方、第２電圧の電圧異常検出結果であるＭａｉｎＳｔｏｐ信号を停止指示信号としてそのまま制御信号発生回路４５に送信するような構成を考えた場合、ＭａｉｎＳｔｏｐ信号は時刻ｔ５までは異常を示す「Ｈｉ」となっているため、少なくとも時刻ｔ５までは制御信号発生回路４５はパネル１０の駆動を停止し、その間、プラズマディスプレイ装置１は通常動作を行わない。そうすると、時刻ｔ５時点でミラー積分回路５４の動作は開始されず、以降、第２電圧発生回路６２が正常な第２電圧を発生できない状態が継続され、プラズマディスプレイ装置１が正常な動作を開始できない事態が発生する。
【０１０３】
しかし、本実施の形態では、プラズマディスプレイ装置１に主電源が投入されてから所定の期間が経過する時刻ｔ６まで、具体的には、プラズマディスプレイ装置１に主電源が投入された後、少なくともミラー積分回路５４の最初の動作が完了し、コンデンサＣ３２に十分な充電がなされてコンデンサＣ３２の両端の電位差が所定電圧に到達し、第２電圧異常検出回路７１の出力が異常を示す「Ｈｉ」から正常を示す「Ｌｏ」に切換わるまで（例えば、ミラー積分回路５４の最初の動作が開始される時刻ｔ３から３０ｍｓｅｃが経過するまで）、ＤＲＶ＿ＲＳＴ信号を「Ｌｏ」に固定する構成としている。したがって、その間は、アンドゲート７５から出力される停止指示信号を「Ｌｏ」に固定し、第２電圧異常検出回路７１の検出結果を無効にする（図９には、「検出結果無効期間」として示す）ことができるので、時刻ｔ３からミラー積分回路５４の動作を正常に行わせることができる。
【０１０４】
これにより、上述した事態を回避し、第２電圧を速やかに発生させ、プラズマディスプレイ装置１の通常動作を速やかに開始させることができる。
【０１０５】
以上、説明したように、本実施の形態によれば、プラズマディスプレイ装置１に主電源が投入されてから所定の期間が経過するまで第２電圧異常検出回路７１の検出結果を無効にする構成とすることで、ミラー積分回路５４が正常に動作して基準電圧ＶＦＧの電位がランプ状に下降しなければ正常な第２電圧を発生させることができない第２電圧発生回路６２を速やかに動作させ、フローティング電圧である第２電圧を速やかにかつ安定に発生させることができるので、プラズマディスプレイ装置１の通常動作を速やかに開始させることが可能となる。また、本実施の形態に示す構成では、第２電圧異常検出回路７１において第１電圧の電圧異常を間接的に、第２電圧の電圧異常を直接的に、それぞれ検出することができるので、電源回路４９で発生させる電圧の異常を検出する精度を高めることが可能になる。
【０１０６】
なお、本実施の形態では、異常検出回路４８においてアンドゲート７５を用いてＭａｉｎＳｔｏｐ信号を無効にする構成を説明したが、本発明は何らこの構成に限定されるものではなく、例えば、第２電圧異常検出回路７１における異常検出の動作そのものを停止する構成であってもかまわない。
【０１０７】
なお、図８では、電源回路４９は電圧Ｖａ、第１電圧、第２電圧を発生させ、異常検出回路４８は第２電圧の異常を検出して停止指示信号を出力する構成を説明したが、本実施の形態は何らこの構成に限定されるものではない。本実施の形態において、電源回路はパネル１０の駆動に必要な各電圧を発生させるものとし、また、異常検出回路は電源回路から発生される各電圧の異常、およびその他の異常を検出する等、プラズマディスプレイ装置１の構成に応じて必要な異常検出回路を備えた構成としてかまわない。
【０１０８】
図１０は、本発明の一実施の形態における電源回路および異常検出回路の他の構成例を示す回路ブロック図である。
【０１０９】
電源回路４９１は、図８に示した電源回路４９の構成に加え、例えば、第２電圧にもとづき新たなフローティング電圧である第３電圧（例えば、基準電圧ＶＦＧに５（Ｖ）を重畳した電圧）を発生させる第３電圧発生回路６６を有する。
【０１１０】
異常検出回路４８１は、図８に示した異常検出回路４８の構成に加え、第３電圧異常検出回路７２、接続異常検出回路７８、オアゲート７４を有する。
【０１１１】
第３電圧異常検出回路７２は、第３電圧を監視し、第２電圧異常検出回路７１と同様に、第３電圧に異常がなければ「Ｌｏ」を出力し、第３電圧の異常を検出したときには「Ｈｉ」を出力する。なお、第３電圧異常検出回路７２は、第３電圧発生回路６６から出力される電圧が所定の電圧（例えば、基準電圧ＶＦＧ＋４．５（Ｖ）以上基準電圧ＶＦＧ＋５．５（Ｖ）未満）のときには第３電圧に異常はないと判定し、そうでなければ第３電圧に異常があると判定する。
【０１１２】
接続異常検出回路７８は、各回路を搭載した複数のプリント基板同士を電気的に接続するケーブルに接続異常が発生したかどうかを示す接続異常検出信号を受け、プリント基板間に接続異常がなければ「Ｌｏ」を出力し、プリント基板間に接続異常が発生したときには「Ｈｉ」を出力する。
【０１１３】
そして、オアゲート７４は、第２電圧異常検出回路７１、第３電圧異常検出回路７２、接続異常検出回路７８の各出力の論理和演算を行い、各異常検出回路のいずれにおいても異常が検出されなければ「Ｌｏ」を、いずれかの異常検出回路において異常が検出されば「Ｈｉ」を出力する。なお、図１０に示す構成では、オアゲート７４の出力信号をＭａｉｎＳｔｏｐ信号としてアンドゲート７５に入力する。
【０１１４】
そして、アンドゲート７５は、図８に示した異常検出回路４８の構成と同様に、ＭａｉｎＳｔｏｐ信号とＤＲＶ＿ＲＳＴ信号との論理積演算を行い、ＤＲＶ＿ＲＳＴ信号が「Ｌｏ」のときには「Ｌｏ」を、ＤＲＶ＿ＲＳＴ信号が「Ｈｉ」のときにはＭａｉｎＳｔｏｐ信号を停止指示信号として出力し、制御信号発生回路４５に送信する。
【０１１５】
例えば、このような構成であっても、図８に示した異常検出回路４８と同様に、タイマー７６、検出停止信号発生回路７７、アンドゲート７５により、主電源が投入されてから所定の期間は異常検出回路４８１における検出結果を無効にすることができるので、フローティング電圧の発生に必要な駆動回路の動作を速やかにかつ安定に開始させ、プラズマディスプレイ装置１の通常動作を速やかに開始させることができる。
【０１１６】
なお、本実施の形態において示した具体的な各数値は、表示電極対数１０８０の５０インチのパネルの特性にもとづき設定したものであって、単に実施の形態の一例を示したものに過ぎない。本発明はこれらの数値に何ら限定されるものではなく、パネルの特性やプラズマディスプレイ装置の仕様等にあわせて最適に設定することが望ましい。また、これらの各数値は、上述した効果を得られる範囲でのばらつきを許容するものとする。
【産業上の利用可能性】
【０１１７】
本発明は、電源回路でフローティング電圧を発生させてパネルの駆動に用いるプラズマディスプレイ装置において、電源回路で発生させる電圧の異常検出精度を高めるとともに、主電源投入後、プラズマディスプレイ装置の通常動作を速やかに開始させることができるプラズマディスプレイ装置およびパネルの駆動方法として有用である。
【図面の簡単な説明】
【０１１８】
【図１】パネルの構造を示す分解斜視図
【図２】同パネルの電極配列図
【図３】同パネルの各電極に印加する駆動電圧波形図
【図４】プラズマディスプレイ装置の回路ブロック図
【図５】走査電極駆動回路の構成を示す回路図
【図６】従来技術における電源回路および異常検出回路の構成を示す回路ブロック図
【図７】従来技術における電源回路および異常検出回路の動作の一例を説明するためのタイミングチャート
【図８】本発明の一実施の形態における電源回路および異常検出回路の一構成例を示す回路ブロック図
【図９】本発明の一実施の形態における電源回路および異常検出回路の動作の一例を説明するためのタイミングチャート
【図１０】本発明の一実施の形態における電源回路および異常検出回路の他の構成例を示す回路ブロック図
【符号の説明】
【０１１９】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    制御信号発生回路
４６，４６’，４９，４９１    電源回路
４７，４８，４８１    異常検出回路
５０    維持パルス発生回路
５１    初期化波形発生回路
５２    走査パルス発生回路
５３，５４    ミラー積分回路
６０    第１電圧発生回路
６１    正電圧発生回路
６２    第２電圧発生回路
６３    スイッチング回路
６４    直流電圧発生回路
６５    電圧Ｖａ発生回路
６６    第３電圧発生回路
６７，６８    定電流発生回路
６９    ランプ波形制御回路
７０    家庭用電源取込み口
７１    第２電圧異常検出回路
７２    第３電圧異常検出回路
７３    第１電圧異常検出回路
７４    オアゲート
７５    アンドゲート
７６    タイマー
７７    検出停止信号発生回路
７８    接続異常検出回路
ＩＮ１，ＩＮ２    入力端子
Ｑ１，Ｑ２，Ｑ４，Ｑ８，Ｑ９    スイッチング素子
Ｄ３２    ダイオード
Ｄ８，Ｄ９    ツェナーダイオード
Ｃ１，Ｃ２，Ｃ３２    コンデンサ
Ｒ１，Ｒ２，Ｒ８，Ｒ９    抵抗
【図１】
2010002437.tif 000003
【図２】
2010002437.tif 000004
【図３】
2010002437.tif 000005
【図４】
2010002437.tif 000006
【図５】
2010002437.tif 000007
【図６】
2010002437.tif 000008
【図７】
2010002437.tif 000009
【図８】
2010002437.tif 000010
【図９】
2010002437.tif 000011
【図１０】
2010002437.tif 000012